(57)【要約】      （修正有）【課題】他の洗濯物と絡み合うことなく洗濯することができると共に、洗濯後の乾燥や保管が容易であり、更には再び履く際に指で手繰り寄せる必要も無く短時間且つスムーズに履くことができる、ストッキング用洗濯補助具を得る。【解決手段】ストッキング７のつま先部９において当該ストッキングの表面及び内面を挟持してストッキングを脱いだ時の縮んだ状態に保持すべく、可撓性を有した本体部２と、該本体部の長手方向一端側に形成した保持部３と、該本体部の長手方向他端側に前記保持部と係着するための係止部５を形成して構成する。または、ストッキングのつま先部において当該ストッキングの表面及び内面を挟持してストッキングを脱いだ時の縮んだ状態に保持すべく、蝶番部にて回動可能に結合された湾曲状の本体部と、該本体部の先端に形成した挟持部と、該挟持部に一定の挟持力を与えるためのバネを備えて構成する。【選択図】図３
0003117443.tif 000002
【実用新案登録請求の範囲】
【請求項１】
ストッキングのつま先部において当該ストッキングの表面及び内面を挟持してストッキングを脱いだ時の縮んだ状態に保持すべく、可撓性を有した本体部と、該本体部の長手方向一端側に形成した保持部と、該本体部の長手方向他端側に前記保持部と係着するための係止部を形成して構成したことを特徴とする、ストッキング用洗濯補助具。
【請求項２】
ストッキングのつま先部において当該ストッキングの表面及び内面を挟持してストッキングを脱いだ時の縮んだ状態に保持すべく、蝶番部にて回動可能に結合された湾曲状の本体部と、該本体部の先端に形成した挟持部と、該挟持部に一定の挟持力を与えるためのバネを備えて構成したことを特徴とする、ストッキング用洗濯補助具。
【考案の詳細な説明】
【技術分野】
【０００１】  本考案は、ストッキングやパンティーストッキング等（以後単にストッキングと言う）を洗濯機にて洗濯する場合において、他の洗濯物と絡み合うことなく洗濯することができると共に、洗濯後の乾燥や保管が容易であり、更には再び履く際に指で手繰り寄せる必要も無く短時間且つスムーズに履くことができる、ストッキング用洗濯補助具に関するものである。
【背景技術】
【０００２】  従来、ストッキングを洗濯機にて洗濯する場合、他の洗濯物と絡み合うのを防止するため、洗濯ネットを使用していた。該洗濯ネットは、通水性を有するネット素材を、チャック等にて開閉可能な出し入れ口を設けて袋状に縫製したものであり、ストッキングやランジェリー等の絡み易い衣類を入れて洗濯するものである。しかし、前記従来の洗濯ネットを用いてストッキングの洗濯を行った場合、ストッキングと他の洗濯物との絡み合いは無いものの当該洗濯ネット内においてストッキング自体が絡み合ってしまうことがあった。【０００３】  上記問題点を解決すべく、実用新案登録第３０４０８７３号の『洗濯ネット』では、洗濯ネットを帯状に形成すると共に当該洗濯ネットの長手方向両端部に止着部材を設け、該止着部材にてネット本体を環状に連結して洗濯することにより当該洗濯ネット内において洗濯物が絡み合わなくなることを特徴とした洗濯ネットについて記載され、特開平１１−１０４３９４号公報の『ストッキング用ネット』では、ストッキング（パンティーストッキング）形状を有した洗濯ネットの上部にチャックを設け、ストッキングを前記ストッキング形状をした洗濯ネットに合わせ入れて洗濯することにより当該洗濯ネット内において洗濯物が絡み合わなくなることを特徴とした洗濯ネットについて記載されている。【０００４】
【特許文献１】実用新案登録第３０４０８７３号
【特許文献２】特開平１１−１０４３９４
【考案の開示】
【考案が解決しようとする課題】
【０００５】  上記２件の特許文献に記載の洗濯ネットを始めとした同様の洗濯ネットにあっては、単にストッキングが洗濯ネット内で絡み合わないようにすることを目的としており、洗濯後及び乾燥後に当該洗濯ネットよりストッキングを取り出したときの形態は、長く伸びた状態又は適度に縮んだ状態である。従って、該状態のストッキングを履く場合には、履き易くするために指で手繰り寄せる必要があり、朝の忙しいときにおいては時間が掛かって煩わしく感じると共に、慌てて爪を引っ掛けて伝線させてしまう危険性があるといった問題点があった。【０００６】  本考案は、上記の問題点を解決するために成されたものであり、ストッキングを洗濯機にて洗濯する場合において、他の洗濯物と絡み合うことなく洗濯することができると共に、洗濯後の乾燥や保管が容易であり、更には再び履く際に指で手繰り寄せる必要も無く短時間且つスムーズに履くことができる、ストッキング用洗濯補助具を提供することを目的とする。
【課題を解決するための手段】
【０００７】  上記課題を解決するため、本考案のストッキング用洗濯補助具においては、ストッキングのつま先部において当該ストッキングの表面及び内面を挟持してストッキングを脱いだ時の縮んだ状態に保持すべく、可撓性を有した本体部と、該本体部の長手方向一端側に形成した保持部と、該本体部の長手方向他端側に前記保持部と係着するための係止部を形成して構成する。【０００８】  または、ストッキングのつま先部において当該ストッキングの表面及び内面を挟持してストッキングを脱いだ時の縮んだ状態に保持すべく、蝶番部にて回動可能に結合された湾曲状の本体部と、該本体部の先端に形成した挟持部と、該挟持部に一定の挟持力を与えるためのバネを備えて構成する。
【考案の効果】
【０００９】  本考案のストッキング用洗濯補助具を用いてストッキングの洗濯を行うようにすれば、ストッキングを脱いだ時の縮んだ状態を保持して洗濯できるため、他の洗濯物と絡み合うことが無い。また、前記状態のまま洗濯挟みに挟んで乾燥させたり、乾燥後において前記状態のままタンス等へ保管ができるなど、洗濯後の乾燥や保管が容易にできるという効果を奏する。更にはストッキング用洗濯補助具を取り外してストッキングを再び履く際には既に履き易い状態になっているため、指で手繰り寄せる必要も無く短時間且つスムーズに履くことができるという絶大なる効果を奏することができる。
【考案を実施するための最良の形態】
【００１０】  本考案を実施するための最良の形態を図を用いて説明する。【００１１】  図１は本考案のストッキング用洗濯補助具の第一実施例における外形図であり、（ａ）は平面図、（ｂ）は側面図である。更に、図２は図１のストッキング用洗濯補助具の使用形態を示す斜視図である。両図に示すように、該ストッキング用洗濯補助具１は、可撓性を有した本体部２と、該本体部２の長手方向一端側に形成した保持部３と、該本体部２の長手方向他端側に前記保持部３と係着するための係止部５を形成して構成する。前記保持部３と係止部５とを係着する手段として、保持部３に保持穴４を設けると共に前記係止部５に係止溝６，６を設け、該保持部３の保持穴４に係止部５を挿入し、係止溝６，６を保持穴４の縁に係止することにより係着される。【００１２】  また、図４は本考案のストッキング用洗濯補助具の第二実施例における外形図であり、（ａ）は平面図、（ｂ）は側面図である。更に、図５は図４のストッキング用洗濯補助具の使用形態を示す外形図である。両図に示すように、該ストッキング用洗濯補助具１は、可撓性を有した本体部１０と、該本体部１０の長手方向一端側に形成した保持部１１と、該本体部１０の長手方向他端側に前記保持部１１と係着するための係止部１３を形成して構成する。前記保持部１１と係止部１３を係着する手段として、係止部１３を円筒体とし、保持部１１に前記係止部１３の円筒体が嵌合される保持溝１２を設け、該保持部１１の保持溝１２に円筒体の係止部１３を挿入して嵌合させることにより係着される。【００１３】  上記第一実施例及び第二実施例におけるストッキング用洗濯補助具１の素材として、塩化ビニルやテフロン（デュポン社の登録商標）等の合成樹脂が好適であるが、特に限定するものではない。【００１４】  また、図６は本考案のストッキング用洗濯補助具の第三実施例における外形図であり、（ａ）は平面図、（ｂ）は側面図である。該図に示すように、該ストッキング用洗濯補助具１は、蝶番部１５にて回動可能に結合された湾曲状の本体部１４，１４と、該本体部１４，１４の先端に形成した挟持部１６，１６と、該挟持部１６，１６に一定の挟持力を与えるためのバネ１８を備えて構成する。なお、前記挟持部１６，１６の対向する内面に、挟持力をより高めるための凹凸形状をした嵌合溝１７を設けると好適である。また、該第三実施例のストッキング用洗濯補助具１の挟持部１６，１６を開ける場合には、湾曲状の本体部１４，１４を指で摘んで開くことにより行える。【００１５】  上記第三実施例におけるストッキング用洗濯補助具１の素材として、ポリプロピレンやＡＢＳ樹脂等が好適であるが、特に限定するものではない。また、バネ１８の構造も図示した構造に限定せず、任意であって構わない。
【実施例】
【００１６】  本考案の実施例として、図１に示す第一実施例のストッキング用洗濯補助具１の装着方法に基づき説明する。【００１７】  図３は本考案のストッキング用洗濯補助具をストッキングに係着する場合の状態図であり、（ａ）は係着前、（ｂ）は係着中、（ｃ）は係着後の状態を示している。ストッキング７を洗濯する場合、まず（ａ）に示すように、ストッキング７を脱いだ時の縮んだ状態に保持しておき、ストッキング用洗濯補助具１の係止部５をストッキング７の開口部８よりつま先部９に挿入する。【００１８】  次に（ｂ）に示すように、ストッキング７のつま先部９にストッキング用洗濯補助具１の係止部５を当接させると共に、該係止部５に保持部３を係着すべく本体部２を図中矢印のように折り曲げる。【００１９】  次に（ｃ）に示すように、ストッキング７のつま先部９を係止部５と共に保持部３の保持穴４に挿入し、該係止部５の係止溝６，６を保持穴４の縁に係止することにより、ストッキング７を脱いだ時の縮んだ状態に保持してストッキング用洗濯補助具１にて係着することができる。【００２０】  その後、上記（ｃ）の状態にしたストッキング７を洗濯機に入れて洗濯を行った場合、ストッキング７を脱いだ時の縮んだ状態を保持して洗濯できるため、他の洗濯物と絡み合うことが無い。また、前記状態のまま洗濯挟みに挟んで乾燥させたり、乾燥後において前記状態のままタンス等へ保管ができる。また、ストッキング用洗濯補助具１を取り外してストッキング７を再び履く際には既に履きやすい状態になっているため、指で手繰り寄せる必要も無く短時間且つスムーズに履くことができることになる。なお、上記説明においては、片足ずつに分かれたストッキング７に基づいて説明したが、パンティーストッキングであっても同様である。また、第二実施例及び第三実施例によるストッキング用洗濯補助具１を使用した場合でも基本操作は上記と同様に行える。
【図面の簡単な説明】
【００２１】
【図１】本考案のストッキング用洗濯補助具の第一実施例における外形図である。
【図２】図１のストッキング用洗濯補助具の使用形態を示す斜視図である。
【図３】本考案のストッキング用洗濯補助具をストッキングに係着する場合の状態図である。
【図４】本考案のストッキング用洗濯補助具の第二実施例における外形図である。
【図５】図４のストッキング用洗濯補助具の使用形態を示す外形図である。
【図６】本考案のストッキング用洗濯補助具の第三実施例における外形図である。
【符号の説明】
【００２２】    １  ストッキング用洗濯補助具
２  本体部
３  保持部
４  保持穴
５  係止部
６  係止溝
７  ストッキング
８  開口部
９  つま先部
１０  本体部
１１  保持部
１２  保持溝
１３  係止部
１４  本体部
１５  蝶番部
１６  挟持部
１７  嵌合溝
１８  バネ
【図１】
0003117443.tif 000003
【図２】
0003117443.tif 000004
【図３】
0003117443.tif 000005
【図４】
0003117443.tif 000006
【図５】
0003117443.tif 000007
【図６】
0003117443.tif 000008